(57)【要約】【課題】  本発明は、様々な二次電池に対応可能なマウント装置を提供することを目的とする。【解決手段】  基台と、前記基台に装着され、挟持する各種二次電池の幅寸法に応じて基台上をスライド可能な挟持部材と、前記基台に装着され、載せられた前記二次電池の上下方向の位置を調整可能な昇降部材と、前記基台上に立設され、伸縮自在なスライダと、前記スライダを介して前記基台に連結され、前記基台の上方に上下動可能に配置された移動台と、前記移動台に装着され、前記挟持部材で挟持された二次電池の電極の位置に応じて前記移動台の前後方向及び左右方向にスライド可能で、充放電試験装置の電極が取り付く電極取付板と、前記基台と前記移動台との間に連結された複数本のリンクと前記スライダとで前記移動台を上下動させるトグル機構とを備えたことを特徴とする。【選択図】    図１
2014142302.tif 000002
【特許請求の範囲】
【請求項１】
基台と、
前記基台に装着され、挟持する各種二次電池の幅寸法に応じて基台上をスライド可能な挟持部材と、
前記基台に装着され、載せられた前記二次電池の上下方向の位置を調整可能な昇降部材と、
前記基台上に立設され、伸縮自在なスライダと、
前記スライダを介して前記基台に連結され、前記基台の上方に上下動可能に配置された移動台と、
前記移動台に装着され、前記挟持部材で挟持された二次電池の電極の位置に応じて前記移動台の前後方向及び左右方向にスライド可能で、充放電試験装置の電極が取り付く電極取付板と、
前記基台と前記移動台との間に連結された複数本のリンクと前記スライダとで前記移動台を上下動させるトグル機構と、
を備えたことを特徴とするマウント装置。
【請求項２】
前記挟持部材は、前記基台に形成された開口を挟んで前記基台上の前後方向にスライド可能に取り付き、前記二次電池を挟持する挟持部が形成された一対の対向する断面Ｌ字状の挟持金具で、前記挟持部に絶縁材が取り付いていることを特徴とする請求項１に記載のマウント装置。
【請求項３】
前記昇降部材は、前記基台に形成された開口内に上下動可能に取り付き、前記二次電池を載せる搭載部が形成された断面コ字状の昇降金具で、前記搭載部に絶縁材が取り付いていることを特徴とする請求項１に記載のマウント装置。
【請求項４】
前記移動台は、対向する一対の側枠に第一スリットが移動台の長手方向に形成された平面視矩形状のフレーム部材で、
前記第一スリットに係脱自在な係止具を介して前記電極取付板が前記第一スリットに沿ってスライド可能に取り付き、
前記電極取付板は、前記第一スリットと直交する方向に２本の第二スリットが形成され、前記第二スリット間に開口部が形成された第一電極取付板と、
前記第一電極取付板の前記第二スリットに係脱可能な係止具を介して前記第二スリットに沿ってスライド可能に取り付き、前記充放電試験装置の電極が取り付く第二の電極取付板）と、
を備えていることを特徴とする請求項１に記載のマウント装置。
【請求項５】
前記開口部は、前記開口部から第二電極取付板が取付け／取り外し可能に、前記第二電極取付板よりも大きく形成されていることを特徴とする請求項３に記載のマウント装置。
【発明の詳細な説明】
【技術分野】
【０００１】
本発明は、二次電池の充放電試験に用いるマウント装置に関する。
【背景技術】
【０００２】
近年、電気自動車や携帯電話などに二次電池が使用され、二次電池の需要が伸びている。このため、二次電池の研究が盛んに行われ、開発した二次電池の性能，安全評価のために充放電試験が行われている（例えば、特許文献１参照）。
【０００３】
そして、二次電池の充放電試験を行うに当たり、二次電池と充放電試験装置を接続するマウント装置が必要となる。
【先行技術文献】
【特許文献】
【０００４】
【特許文献１】特開平９−１５９７３８号公報
【発明の概要】
【発明が解決しようとする課題】
【０００５】
しかし、二次電池の形状は二次電池の種類毎に異なり、二次電池と充放電試験装置を接続するマウント装置は、二次電池の種類毎に製造されている。
【０００６】
同様に、二次電池の電極の位置や材質，形状は二次電池の種類毎に異なり、二次電池の電極に合わせて充放電試験装置の電極部分を設計するため、二次電池と充放電試験装置を接続するマウント装置は、二次電池の種類毎に製造されているのが実情である。
【０００７】
本発明は斯かる実情に鑑み案出されたもので、様々な二次電池に対応可能なマウント装置を提供することを目的とする。
【課題を解決するための手段】
【０００８】
一つの観点によるマウント装置は、基台と、前記基台に装着され、挟持する各種二次電池の幅寸法に応じて基台上をスライド可能な挟持部材と、前記基台に装着され、載せられた前記二次電池の上下方向の位置を調整可能な昇降部材と、前記基台上に立設され、伸縮自在なスライダと、前記スライダを介して前記基台に連結され、前記基台の上方に上下動可能に配置された移動台と、前記移動台に装着され、前記挟持部材で挟持された二次電池の電極の位置に応じて前記移動台の前後方向及び左右方向にスライド可能で、充放電試験装置の電極が取り付く電極取付板と、前記基台と前記移動台との間に連結された複数本のリンクと前記スライダとで前記移動台を上下動させるトグル機構とを備えたことを特徴とする。
【発明の効果】
【０００９】
二次電池の充放電試験の際に、様々な二次電池に対応可能なマウント装置を提供することができる。
【図面の簡単な説明】
【００１０】
【図１】一実施形態に係るマウント装置の斜視図である。
【図２】図１に示したマウント装置に、挟持部材と昇降部材で二次電池を固定した状態を示すマウント装置の側面図である。
【図３】図１に示したマウント装置に、挟持部材と昇降部材で二次電池を固定した状態を示すマウント装置の斜視図である。
【図４】図１に示したマウント装置に、挟持部材と昇降部材で二次電池を固定した状態を示すマウント装置の正面図である。
【図５】図１に示したマウント装置の基台とこれに取り付く挟持部材及び昇降部材の斜視図である。
【図６】図１に示したマウント装置の基台とこれに取り付く挟持部材及び昇降部材の正面図である。
【図７】図１に示したマウント装置の基台とこれに取り付く挟持部材及び昇降部材の側面図である。
【図８】図１に示したマウント装置の昇降台の平面図である。
【図９】図１に示したマウント装置の第一電極取付板と第二電極取付板を有する電極取付板の斜視図である。
【図１０】図１に示したマウント装置の第二電極取付板の取り外し方法を示す電極取付板の斜視図である。
【図１１】図１に示したマウント装置を用いて、充放電試験装置の電極と二次電池の電極を接続させた状態を示すマウント装置の斜視図である。
【図１２】図１に示したマウント装置を用いて、充放電試験装置の電極と二次電池の電極を接続させた状態を示すマウント装置の側面図である。
【図１３】図１に示したマウント装置を用いて、充放電試験装置の電極と二次電池の電極を接続させた状態を示すマウント装置の正面図である。
【図１４】図１に示したマウント装置を用いて、他種類の二次電池を挟持部材と昇降部材とで固定した状態を示すマウント装置の斜視図である。
【発明を実施するための形態】
【００１１】
以下、マウント装置の実施形態を図面に基づいて詳細に説明する。
【００１２】
図１は一実施形態に係るマウント装置３の全体斜視図を示し、図２，図３及び図４は、図１に示したマウント装置３に、挟持金具１９，２１と昇降金具２３を用いて二次電池１５を固定した状態を示す。そして、図５，図６及び図７は、図１に示したマウント装置３の基台１と、これに取り付く挟持金具１９，２１と昇降金具２３を示している。
【００１３】
図１乃至図４において、１はマウント装置３の基台、５は基台１の左右に２本ずつ上下方向に配置されたスライダで、４本のスライダ５を介して基台１の上方に移動台７が配置されている。
【００１４】
基台１は、上側から見て矩形状に形成された基台本体９と、基台本体９の左右（長手方向の両端側）に設けられた脚部１１とを有し、図４に示すように基台本体９は脚部１１によって床１３から所定の高さに配置されている。そして、図５に示すように基台本体９の中央には、長手方向に上側から見て矩形状の開口部２５が形成され、開口部２５を挟んで基台本体９上の前後に、二次電池１５を挟持する一対の断面Ｌ字状の挟持金具１９，２１が配置されている。尚、二次電池１５は直方体形状に形成され、その上面に、二つの電極７７が二次電池１５の長手方向に所定の間隔を空けて設けられている。また、挟持金具１９，２１は挟持部材の一例である。
【００１５】
基台本体９に当接する挟持金具１９，２１の一片１９ａ，２１ａには、３本のスリット２７が基台本体９の前後方向へ一例として等間隔に形成され、各スリット２７を挿通してボルト２９が上方から基台本体９を貫通している。そして、図６，図７に示すように基台本体９を貫通したボルト２９の軸部２９ａにナット３１が螺着している。
【００１６】
このため、ボルト２９とナット３１を弛めれば、スリット２７に沿って挟持金具１９，２１を基台本体９の前後方向へスライドさせることができ、ナット３１を締め付ければ、任意の位置で挟持金具１９，２１を基台本体９上に固定することができる。そして、図２，図７に示すように、二次電池１５を挟持する挟持金具１９，２１の他の一片１９ｂ，２１ｂの互いに対向する内面には、絶縁性を有する板状のゴム３２が貼着されている。
【００１７】
一方、図５に示すように開口部２５には、上面２３ａに二次電池１５を載せることができるように、上面２３ａを上にして断面コ字状の昇降金具２３が挿入され、上面２３ａには絶縁性を有する板状のゴム３２が貼着されている。尚、昇降金具２３は昇降部材の一例であり、ゴム３２は絶縁材の一例である。
【００１８】
そして、図６，図７に示すように基台本体９の裏面側（図７の床１３側）には、開口部２５（図５）の前後の縁部に沿って一対の断面Ｌ字状の支持金具３３が取り付けられている。支持金具３３は開口部２５内に挿入された昇降金具２３を支持し、且つ昇降金具２３の高さを調整するための金具である。図６及び図７に示すように両支持金具３３には、３つの突片３７が下方へ等間隔に形成され、各突片３７には、挟持金具１９，２１側のスリット２７（図５）と同軸上に１本のスリット３５がそれぞれ上下方向に設けられている。
【００１９】
また、昇降金具２３にも、突片３７と略同一形状の突片３９が各突片３７に対応して設けられており、突片３９は対応する突片３７にそれぞれ当接している。そして、各スリット３５を挿通してボルト２９が突片３９を貫通し、突片３９を貫通したボルト２９の軸部２９ａにナット３１が螺着している。
【００２０】
このため、ボルト２９とナット３１を弛めれば、スリット３５に沿って昇降金具２３を上下方向にスライドさせることができ、ナット３１を締め付ければ、任意の高さで昇降金具２３を支持金具３３を介して基台１に固定することができる。
【００２１】
そして、既述したように基台１（基台本体９）の左右に２本ずつスライダ５が立設されており、４本のスライダ５によって基台１の上方に移動台７が配置されている。スライダ５は、基台本体９側に取り付くパイプ材５ａと、移動台７側に取り付き、パイプ材５ａより小径なパイプ材５ｂとを有し、パイプ材５ａ内にパイプ材５ｂが挿入されている。
【００２２】
図８は図１に示したマウント装置３の移動台７を示している。図８において、４１は側枠４１ａ，４１ｂ，４１ｃが一例として一体形成された枠体、４１ｄは枠体４１にボルト締めされた１本の側枠で、枠体４１は上側から見てコ字状に形成されている。これらの側枠４１ａ，４１ｂ，４１ｃ，４１ｄによって、移動台７は上側から見て矩形状のフレーム部材とされている。尚、図中、４３は側枠４１ｄを枠体４１（側枠４１ａと４１ｃ）に固定するボルトである。
【００２３】
移動台７の長手方向に配された側枠４１ｂ，４１ｄの内側には、移動台７の左右方向、即ち、移動台７の長手方向に亘って切欠き溝４５（図１１）が設けられて、側枠４１ｂ，４１ｄは断面コ字状に形成されている。そして、側枠４１ｂ，４１ｄの切欠き溝４５間に、２枚の電極取付板４７が切欠き溝４５に沿って移動可能に嵌め込まれている。また、図８に示すように側枠４１ｂ，４１ｄの上部と下部には、切欠き溝４５に連通する第一スリット４９が移動台７の長手方向に亘って設けられている。
【００２４】
図９は、図１に示したマウント装置３の第一電極取付板５１と第二電極取付板５３を有する電極取付板４７を示す。電極取付板４７は、切欠き４５に挿入可能な肉厚を有する上側から見て矩形状の第一電極取付板５１と、これに取り付く上下２枚一組の第二電極取付板５３とを備えている。そして、上下に２枚の第二電極取付板５３も上側から見て矩形状に形成され、それらの中央に、充放電試験装置の電極５５が接点を基台１側に向けて上下方向に取り付けられている。
【００２５】
第一電極取付板５１の長手方向（図１に示した移動台７の前後方向）の両端側には、図８に示した移動台７側の第一スリット４９に対応してボルト穴５７が２個ずつ設けられている。そして、図８に示すように側枠４１ｂ，４１ｄの上方からボルト５９がスリット４９を挿通してボルト穴５７に螺着しており、ボルト５９を弛めると、第一電極取付板５１が切欠き４５とスリット４７に沿って移動台７の長手方向へ移動できる。また、ボルト５９をボルト穴５７に締め付けると、第一電極取付板５１を任意の位置で移動台７に固定できるようになっている。ボルト５９は係止具の一例である。
【００２６】
尚、移動台７へ電極取付板４７を取り付けるには、先ず、側枠４１ｄを枠体４１に固定する際に、第一電極取付板５１の長手方向の一端側を側枠４１ｄの切欠き４５内に嵌め込む。そして、第一電極取付板５１の他端側を側枠４１ｂの切欠き４５に嵌め込み乍ら、側枠４１ｄを枠体４１にボルト締めすることによって、電極取付板４７が移動台７に取り付く。
【００２７】
図９に示すように第一電極取付板５１の左右には第二スリット６１が長手方向に形成され、第一電極取付板５１の中央、即ち、左右のスリット６１間に、上側から見て矩形状の開口部６３が長手方向に形成されている。尚、開口部６３は、一例としてスリット６１と同一の長さとされている。
【００２８】
図１０は、第一電極取付板５１からの第二電極取付板５３の取り外し方法を示し、２枚一組の第二電極取付板５３は開口部６３よりも小さな矩形状の板材からなり、長手方向の両端側の中央には第二スリット６１に対応して一つのボルト挿通穴６５が設けられている。そして、上側の第二電極取付板５３のボルト挿通穴６５から、ボルト２９がスリット６１を通って下側の第二電極取付板５３のボルト挿通穴６５に挿通している。そして、図４に示すように、下側の第二電極取付板５３のボルト挿通穴６５から下方へ突出するボルト２９の軸部２９ａにナット３１が螺着している。
【００２９】
従って、ボルト２９とナット３１を弛めると、２枚の第二電極取付板５３が一体となってスリット６１に沿って移動でき、ボルト２９にナット３１を締め付けると、上下２枚の第二電極取付板５３が任意の位置で第一電極取付板５１に固定される。
【００３０】
また、既述したように、第二電極取付板５３は開口部６３よりも小さく形成されている。このため、図９の状態でナット２９を弛めてボルト挿通穴６５からボルト２９が取り外された後、上下の第二電極取付板５３が図９の位置から図１０の如く第一電極取付板５１に対して９０°回転されると、第二電極取付板５３が開口部６３（第一電極取付板５３）から取り外される。
【００３１】
従って、このように第二電極取付板５３が取り外された後、他の電極が取り付く別の第二電極取付板が第一電極取付板５１に取り付けられることで、電極５５を他の電極に交換することができる。
【００３２】
そして、移動台７がスライダ５によって基台１に連結されているが、図１，図２に示すように移動台７と基台１との間の左右側部には、更に、３本のリンク（棒）６７，６９，７１が側面から見て略Ｚ字状にピン７３で連結されている。
【００３３】
左右の３本のリンク６７，６９，７１のうち最も長尺なリンク６７は、それぞれ下端側が基台１の脚部１１の側部にピン７３で連結され、上端側はリンク６９の上端側にピン７３で連結されている。図１に示すようにマウント装置３の未使用時に、リンク６７は上端側が基台１の後方へ傾斜し、これに連結されたリンク６９は基台１の前方へ斜め下方に傾斜している。そして、リンク６９の下端側とリンク７１の下端側が側枠４１ａ，４１ｃの側部にそれぞれピン７３で連結され、リンク７１は上端側が基台１の後方へ斜めに傾斜している。尚、一例としてリンク６９，７１は同一の形状とされている。
【００３４】
そして、左右のリンク７１の上端の間に円柱状の操作バー７５が架設されており、本実施形態は、これらのリンク６７，６９，７１とスライダ５とで、基台１に対して移動台７を上下動させるトグル機構Ｔを形成している。
【００３５】
図１１，図１２及び図１３は、図１に示したマウント装置３を用いて、充放電試験装置の電極５５を二次電池１５の電気エネルギ７７に接続させた状態を示す。図１のマウント装置３の未使用状態から図１１，図１２の如く操作バー７５が基台１の前方へ移動されると、トグル機構Ｔにより操作バー７５の円運動がスライダ５に沿った並進運動に変換される。そして、操作バー７５の操作に連動してリンク６９，７１同士が重なって上方へ直立するまでの間、移動台７は上昇し、図１２の如くリンク７１がマウント装置３の前方へ傾斜していくに従い、移動台７は下降していく。そして、リンク７１が側枠４１ａ，４１ｃに設けたストッパ７９に当接した処で、下降する移動台７が停止し、これにより移動台７に取り付く電極５５の上死点と下死点が物理的に定まることとなる。
【００３６】
本実施形態に係るマウント装置３は図１乃至図１３に示した構造を有しており、マウント装置３を用いて二次電池１５の充放電試験を行うには、先ず、マウント装置３の全てのボルト２９，５９とナット３１が弛められ、一対の挟持金具１９，２１はそれぞれ基台１の前方と後方にスライドされて離間される。
【００３７】
二次電池１５の固定方法としては、先ず、二次電池１５の高さに応じて昇降金具２３の高さが調整される。既述したようにトグル機構Ｔによって電極５５の位置（電極位置）の下死点が予め定まっているため、下死点の位置に二次電池１５の電極７７が来るように昇降金具２３がスライド３５に沿って上下動される。そして、下死点の位置に二次電池１５の電極７７が来るように位置決めされた処で、ボルト２９とナット３１が締め付けられて昇降金具２３が支持金具３３に固定され、二次電池１５が昇降金具２３の上面２３ａに載せられる。
【００３８】
次に、図２乃至図４に示すように二次電池１５を挟持するため、挟持金具１９，２１がスリット２７に沿って二次電池１５方向へスライドされる。そして、それぞれの一片１９ｂ，２１ｂで二次電池１５が挟持された処で、ボルト２９とナット３１が締め付けられて挟持金具１９，２１が基台本体９に固定される。一片１９ｂ，２１ｂの内面と上面２３ａにはゴム３２が貼着されているため、ゴム３２が二次電池１５からマウント装置３への通電を防ぎつつ、摩擦力によるゴム３２の保持力が高まり、二次電池１５の形状の違いを吸収して二次電池１５の固定が可能となる。
【００３９】
このように昇降金具２３に載せた二次電池１５を挟持金具１９，２１で固定することで、二次電池１５の二つの電極７７の位置が定まる。そこで、２枚の第一電極取付板５１が切欠き溝４５と第一スリット４９に沿って移動台７の左右方向へスライドされ、左右の電極７７上に第一電極取付板５１が配置される。
【００４０】
次いで、第二スリット６１に沿って第二電極取付板５３がスライドされて、電極７７の上方に第二電極取付板５３の電極５５が配置される。この後、ナット３１がボルト２９に締め付けられ、ボルト５９がボルト穴５７に締め付けられて第一，第二電極取付板５１，５３が固定される。
【００４１】
そして、図１，図２の位置から図１１，図１２の如く操作バー７５が基台１の前方へ移動操作されると、操作バー７５の操作に連動してリンク６９，７１同士が重なって上方へ直立するまでの間、移動台７は上昇する。操作バー７５の操作に連動して図１２の如くリンク７１がマウント装置３の前方へ傾斜していくに従い、移動台７は下方へ移動し、リンク７１が側枠４１ａ，４１ｃに設けたストッパ７９に当接した処で移動台７が停止し、電極５５が電極７７に接続される。また、トグル機構Ｔにより操作バー７５の円運動がスライダ５に沿った並進運動に変換されているため、電極５５，７７同士の接触時に接触速度が緩慢となって電極５５，７７同士の衝突が避けられる。
【００４２】
この後、電極５５に充放電試験装置からのコードが接続されることで、二次電池１５の充放電試験が可能となる。
【００４３】
図１４は図１のマウント装置３を用いて他種類の二次電池１５-1を挟持金具１９，２１で固定した状態を示す。二次電池１５-1は、図３で示した二次電池１５と形状，幅寸法が異なり、外形が円柱状に形成されて上面に２つの電極７７-1が設けられている。尚、既述した手順に従い、後述するように昇降金具２３の高さ調整と挟持金具１９，２１の位置決めによって、図１４の如く二次電池１５-1が基台１上に固定されるが、電極７７-1は基台１の前後方向に沿って配置されるものとする。
【００４４】
図９，図１０で既述したように、第二電極取付板５３は第一電極取付板５１の開口部６３を利用して第一電極取付板５１に着脱自在である。また、側枠４１ｄを枠体４１から取り外すことで、電極取付板４７が移動台７に着脱自在である。
【００４５】
従って、図１４に示すように電極７７-1の配置方向に従い、図１のマウント装置３から先ず、側枠４１ｄが枠体４１から取り外されて１枚の電極取付板４７が取り外される。そして、残った電極取付板４７に２枚一組の第二電極取付板５３が追加して取り付けられる。第二電極取付板５３の取付けは、電極５５が取り付く上下２枚の第二電極取付板５３が開口部６３に通されて、第二電極取付板５３が９０°回転された後、スリット６１，ボルト挿通穴６５にボルト２９が通されて裏側からナット３１が軸部２９ａに螺着されればよい。
【００４６】
このように図１のマウント装置３から、図１４の如く第一電極取付板５１と第二電極取付板５３が入れ替えられた後、既述した手順に従って昇降金具２３の高さが調整される。既述したようにトグル機構Ｔによって電極５５の位置の下死点が予め定まっているため、その下死点に二次電池１５-1の電極７７-1が来るように、昇降金具２３がスライド３５に沿って上下動される。そして、下死点に二次電池１５-1の電極７７-1が来るように位置決めされた処で、ボルト２９とナット３１が締め付けられて昇降金具２３が支持金具３３に固定され、二次電池１５-1が昇降金具２３の上面２３ａに載せられる。
【００４７】
次に、二次電池１５-1を挟持するため、挟持金具１９，２１がスリット２７に沿って二次電池１５-1方向にスライドされる。そして、それぞれの一片１９ｂ，２１ｂで二次電池１５-1が挟持された処で、ボルト２９とナット３１が締め付けられて挟持金具１９，２１が基台本体９に固定される。一片１９ｂ，２１ｂの内面と上面２３ａにはゴム３２が貼着されているため、ゴム３２が二次電池１５-1からマウント装置３への通電を防ぎつつ、摩擦力によるゴム３２の保持力が高まり、二次電池１５-1の形状の違いを吸収して二次電池１５-1の固定が可能となる。このように挟持金具１９，２１で二次電池１５-1が固定されて、二次電池１５-1の二つの電極７７-1が基台１の前後方向に配置される。
【００４８】
そこで、１枚の第一電極取付板５１が切欠き溝４５と第一スリット４９に沿って二次電池１５-1の真上にスライドされ、２枚の第二電極取付板５３が第二スリット６１に沿ってスライドされて、それぞれの電極５５が二次電池１５-1の二つの電極７７-1に合わされる。そして、ナット３１がボルト２９に締め付けられ、ボルト５９がボルト穴５７に締め付けられる。
【００４９】
この後、図１４の位置から操作バー７５が基台１の前方へ移動されれば、操作バー７５の操作に連動してリンク６９，７１同士が重なって上方へ直立するまでの間、移動台７は上昇する。そして、リンク７１がマウント装置３の前方へ傾斜していくに従い、移動台７は下方へ移動し、リンク７１が側枠４１ａ，４１ｃのストッパ７９に当接した処で移動台７が停止し、電極５５と電極７７-1が接続される。そして、トグル機構Ｔにより操作バー７５の円運動がスライダ５に沿った並進運動に変換されているため、電極５５，７７-1同士の接触時に接触速度が緩慢となって電極５５，７７-1同士の衝突が避けられる。
【００５０】
この後、電極５５に充放電試験装置からのコードが接続されることで、二次電池１５-1の充放電試験が可能となる。
【００５１】
また、既述した実施形態に代え、二次電池の種類によって電極５５と異なる電極が必要になったときには、異なる電極（図示せず）が取り付く第二電極取付板５３を交換するだけで、他種類の二次電池に対応が可能である。
【００５２】
このようにマウント装置３によれば、電極５５を基台１の前後方向及び左右方向にスライド可能としたので、基台１に固定された二次電池の電極の位置に電極５５を合わせることができ、様々な二次電池が搭載可能である。
【００５３】
また、二次電池を挟持する挟持金具１９，２１を基台１の前後方向にスライド可能とし、昇降金具２３を基台１の上下方向に高さ調整可能としたため、幅，厚さ，高さが異なる二次電池が搭載可能である。
【００５４】
更に、第二電極取付板５３を第一電極取付板５１から着脱可能としたので、破損した電極５５の交換作業が従来に比し容易となり、また、二次電池の形状，材質に合わせて電極の種類を変更することも可能である。
【００５５】
また、従来のマウント装置では、接触熱抵抗を軽減するために電極に圧力をかけて密着させる方法として、バネを用いる機構が採用されているが、バネ力で電極同士を衝突させるため電極の摩耗が激しく、頻繁な点検が必要となっていた。
【００５６】
そこで、既述したように本実施形態では、二次電池の電極７７と充放電試験装置の電極５５に圧力をかけて密着させる手法として、リンクとスライダからなるトグル機構Ｔを用いた。この結果、電極５５，７７の接触圧力を増幅するとともに電極５５の移動速度が遅くなり、電極５５，７７同士の接触熱抵抗と衝突エネルギーを、従来に比し軽減させることが可能である。
【００５７】
以上の詳細な説明により、実施形態の特徴点及び利点が明らかになるであろう。これは、特許請求の範囲がその精神及び権利範囲を逸脱しない範囲で前述のような実施形態の特徴点及び利点にまで及ぶことを意図するものである。また、当該技術分野において通常の知識を有する者であれば、あらゆる改良及び変更に容易に想到できるはずである。したがって、発明性を有する実施形態の範囲を前述したものに限定する意図はなく、実施形態に開示された範囲に含まれる適当な改良及び均等物に拠ることも可能である。
【符号の説明】
【００５８】
１・・基台；３・・マウント装置；５・・スライダ；７・・移動台；９・・基台本体；１１・・脚部；１５，１５-1・・二次電池；１９，２１・・挟持金具；２３・・昇降金具；２５，６３・・開口部；２７，３５・・スリット；３２・・ゴム；３３・・支持金具；３７，３９・・突片；４１・・枠体；４１ａ，４１ｂ，４１ｃ，４１ｄ・・側枠；４５・・切欠き溝；４７・・電極取付板；４９・・第一スリット；５１・・第一電極取付板；５３・・第二電極取付板；５５，７７，７７-1・・電極；６１・・第二スリット；６７，６９，７１・・リンク；７５・・操作バー；７９・・ストッパ；Ｔ・・トグル機構
【図１】
2014142302.tif 000003
【図２】
2014142302.tif 000004
【図３】
2014142302.tif 000005
【図４】
2014142302.tif 000006
【図５】
2014142302.tif 000007
【図６】
2014142302.tif 000008
【図７】
2014142302.tif 000009
【図８】
2014142302.tif 000010
【図９】
2014142302.tif 000011
【図１０】
2014142302.tif 000012
【図１１】
2014142302.tif 000013
【図１２】
2014142302.tif 000014
【図１３】
2014142302.tif 000015
【図１４】
2014142302.tif 000016